(57)【特許請求の範囲】
【請求項１】
通信ネットワークコンポーネントを備えた階層的通信ネットワークであって、 当該通信ネットワークコンポーネントは：
少なくとも第１のインターフェースと第２のインターフェース(２，３）を有しており、
当該インターフェースは、高い階層レベルへのコネクションを確立し、
少なくとも第１の割り当てられたポートと第２の割り当てられたポート（７, ８）を有しており、
当該割り当てられたポートはそれぞれ、前記第１のインターフェースと第２のインターフェースのうちのそれぞれ１つのインターフェースに割り当てられており、
少なくとも第３のインターフェースと第４のインターフェース(４，５）を有しており、
当該インターフェースは、低い階層レベルとのコミュニーケーションを行い、
前記第３のインターフェースと第４のインターフェースに割り当てられた１つの共通ポート（１１）を有している、
ことを特徴とする階層的通信ネットワーク。
【請求項２】
前記第１のインターフェースと第２のインターフェースは同じタイプである、請求項１記載のネットワーク。
【請求項３】
前記第３のインターフェースと第４のインターフェースは同じタイプである、請求項１記載のネットワーク。
【請求項４】
前記通信ネットワークコンポーネントは、スイッチングコンピュータを有しており、
当該スイッチングコンピュータは、前記第１のインターフェースおよび第２のインターフェースと、前記第１のポートおよび第２のポートを介してコミュニケートし、
前記第３のインターフェースおよび第４のインターフェースと、前記共通ポートを介してコミュニケートする、請求項１記載のネットワーク。
【請求項５】
少なくとも１つのさらなるポートを有しており、
パソコンと結合する少なくとも１つのさらなるインターフェースを有しており、
前記スイッチングコンピュータはパソコンと、当該さらなるポートおよびさらなるインターフェースを介してコミュニケートする、請求項４記載のネットワーク。
【請求項６】
通信ネットワークコンポーネントであって、
少なくとも第１のインターフェースと第２のインターフェース(２，３）を有しており、
当該インターフェースは、高い階層レベルへのコネクションを確立し、
少なくとも第１の割り当てられたポートと第２の割り当てられたポート（７, ８）を有しており、
当該割り当てられたポートはそれぞれ、前記第１のインターフェースと第２のインターフェースのうちのそれぞれ１つのインターフェースに割り当てられており、
少なくとも第３のインターフェースと第４のインターフェース(４，５）を有しており、
当該インターフェースは、低い階層レベルとのコミュニーケーションを行い、
前記第３のインターフェースと第４のインターフェースに割り当てられた１つの共通ポート（１１）を有している、
ことを特徴とする通信ネットワークコンポーネント。
【請求項７】
前記第１のインターフェースと第２のインターフェースは同じタイプである、請求項６記載のコンポーネント。
【請求項８】
前記第３のインターフェースと第４のインターフェースは同じタイプである、請求項６記載のコンポーネント。
【請求項９】
前記通信ネットワークコンポーネントは、スイッチングコンピュータを有しており、
当該スイッチングコンピュータは、前記第１のインターフェースおよび第２のインターフェースと、前記第１のポートおよび第２のポートを介してコミュニケートし、
前記第３のインターフェースおよび第４のインターフェースと、前記共通ポートを介してコミュニケートする、請求項６記載のコンポーネント。
【請求項１０】
少なくとも１つのさらなるポートを有しており、
パソコンと結合する少なくとも１つのさらなるインターフェースを有しており、
前記スイッチングコンピュータはパソコンと、当該さらなるポートおよびさらなるインターフェースを介してコミュニケートする、請求項９記載のコンポーネント。
【発明の詳細な説明】
【０００１】
【産業上の利用分野】
本発明は階層的通信ネットワーク及び該通信ネットワーク用コンポーネント（ネットワークエレメント）に関する。
【０００２】
【従来の技術】
ＣＣＩＴＴ勧告Ｍ３０においては管理ネットワークの基本構造が記載されている。そのようなネットワークに対するＣＣＩＴＴ勧告において表現されているのはＴＭＮと略称される通信管理ネットワーク（Ｔｅｌｅｃｏｍｍｕｎｉｃａｔｉｏｎ  Ｍａｎａｇｅｍｅｎｔ  Ｎｅｔｗｏｒｋ）である。  管理ネットワークの重要なビルディングブロックは通信ネットワークコンポーネントである。そのようなネットワークのボトム（基底部）の階層レベルにおける通信ネットワークコンポーネントは管理ネットワークと、管理され且つ監視されるべき通信ネットワークとの間のリンクを形成する。通信ネットワークコンポーネントは通信ネットワークに就いてのデータを収集し、それらの要求に応じて、次の比較的に高い階層レベルの通信ネットワークコンポーネントへ転送する。そして、又、制御及びスイッチングコマンドを供給（転送）することにより、例えば代替的スイッチング手段のために通信ネットワーク内に介入的に作用する。ＣＣＩＴＴ勧告Ｍ３０においてボトム（基底）階層レベルの通信ネットワークコンポーネントは“Ｎｅｔｗｏｒｋ  Ｅｌｅｍｅｎｔ”（ＮＥ）（ネットワークコンポーネント）と称され、他のレベルの通信ネットワークコンポーネントは“Ｍｅｄｉａｔｉｏｎ  Ｄｅｖｉｃｅ”（ＭＤ）（監視ないし媒介装置）と称される。
【０００３】
通信ネットワークのトップ（最上位）の階層レベルにおいてはインジケーション（指示）、判定及びコントロールシステム（これはＣＣＩＴＴ勧告Ｍ３０においてオペレーティングシステムと称せられＯＳと略称される）が存在する。それらは以下主な（メイン）オペレーティングシステムと称される。
【０００４】
主な（メイン）オペレーティングシステムでは管理され監視されるべきネットワークのすべてのデータが収集され、コンピュータにより評価される。必要があれば付加的手段が直ちに自動的に講じられる。
【０００５】
その種管理システムの具体化は例えばドイツ連邦共和国特許出願公開第３４３６４４１号公報及びフィリップス社（Ｐｈｉｌｉｐｓ  Ｋｏｍｍｕｎｉｋａｔｉｏｎｓ  ＡＧ）のデータ誌（ｄａｔａｊｏｕｒｎａｌ）（ＳＩＳＡ  “Ｋｏｍｍｕｎｋａｔｉｏｎｓｎｅｔｚ  ｆｕｅｒ  Ｎｅｔｚｍａｎａｇｅｍｅｎｔ”，Ｍａｒｃｈ    １９９１）に記載されている。従来技術による通信ネットワークコンポーネントはアップ方向に１つのポートを有し、ダウン方向に１つのポートを有する。１つの物理的インターフェースは明確に各ポートに割当られている。それらの通信ネットワークコンポーネントによってはコネクション（接続）を様々の方向に形成することは不可能である。
【０００６】
ヨーロッパ特許出願公開第０５３７８２１号公報にはそれまで使用されていたネットワーク監視（マネジメント）に対しどのような構成上の変更を行い得、それによりライン構造の監視も可能になることが示されている。特にヨーロッパ特許第０５３７８２１明細書にて示されている標準化インターフェースを介しては比較的に高い又は低い階層レベルへ信号が伝送され得、可制御スイッチが拡張的に設けられている。“伝送”の位置では当該スイッチにより通信ネットワークコンポーネントは伝送線（ライン）に接続され、伝送ラインは遮断されて、それにより、すべての後続の通信ネットワークコンポーネントは−−伝送方向と逆方向で見て−−伝送線から分離される。“非伝送”の位置では切換スイッチにより割り当てられた通信ネットワークコンポーネントは伝送線から分離され、同時に伝送線の遮断が終結される。以下信号がそこを介して比較的高い又は低い階位の階層レベルへ転送されるためのインターフェースが言及される場合は、上述の切換スイッチにより拡張的に設けられたインターフェースが表されている。
【０００７】
ユーザの存在密度の少ない地域であるが鉄道又はエネルギ給電サービス（施設）のための通信ネットワーク（それらは主にライン状に構成されている）では独立的に２つの主な（メイン）オペレーティングシステムから管理する必要性が存在する。
【０００８】
【発明の目的】
本発明の目的ないし課題とすることろは、コスト面で有利なように、そのような管理を可能にする通信ネットワークを提供することである。更なる目的とするところはそのような通信ネットワークコンポーネントを有利に利用し得る管理システムの構造を提供することにある。
【０００９】
【発明の構成】
上記課題は、通信ネットワークコンポーネントを備えた階層的通信ネットワークであって、 当該通信ネットワークコンポーネントは、少なくとも第１のインターフェースと第２のインターフェースを有しており、当該インターフェースは高い階層レベルへのコネクションを確立し、少なくとも第１の割り当てられたポートと第２の割り当てられたポートを有しており、当該割り当てられたポートはそれぞれ、前記第１のインターフェースと第２のインターフェースのうちのそれぞれ１つのインターフェースに割り当てられており、少なくとも第３のインターフェースと第４のインターフェースを有しており、当該インターフェースは、低い階層レベルとのコミュニーケーションを行い、前記第３のインターフェースと第４のインターフェースに割り当てられた１つの共通ポートを有していることを特徴とする階層的通信ネットワークによって解決される。上述の課題はさらに、通信ネットワークコンポーネントであって、少なくとも第１のインターフェースと第２のインターフェースを有しており、当該インターフェースは、高い階層レベルへのコネクションを確立し、少なくとも第１の割り当てられたポートと第２の割り当てられたポートを有しており、当該割り当てられたポートはそれぞれ、前記第１のインターフェースと第２のインターフェースのうちのそれぞれ１つのインターフェースに割り当てられており、少なくとも第３のインターフェースと第４のインターフェースを有しており、当該インターフェースは、低い階層レベルとのコミュニーケーションを行い、前記第３のインターフェースと第４のインターフェースに割り当てられた１つの共通ポートを有していることを特徴とする通信ネットワークコンポーネントによって解決される。
【００１２】
すべての通信ネットワークコンポーネントに対する有利な実施例によれば、通信ネットワークコンポーネントのインターフェースが構成及び機能に関して相互に対応しており、上記インターフェースを介しては同じ階層レベルのネットワークコンポーネントへのコネクションが確立され得る。
【００１３】
上述の通信ネットワークコンポーネントによっては２つの異なる階層レベルの通信ネットワークコンポーネント間の相互に独立の少なくとも接続（コネクション）のなされる管理ネットワークを形成することが可能である。
【００１４】
以下図を用いて本発明を更に説明する。
【００１５】
【実施例】
図１に示す実施例における通信ネットワークコンポーネント１は５つのインターフェース２〜６を有する。インターフェース２〜５はＱＤ２インターフェースであり、インターフェース６はＶ．２４インターフェースである。インターフェース２，３を介して通信ネットワークコンポーネント１は管理ネットワークの比較的に高いレベルのビルディングブロックに接続されており、インターフェース４，５を介しては比較的に低い階層（ハイアラーキ）レベルのビルディングブロックへ、そして、インターフェース６を介してはパソコン（図示せず）への接続が行われる。
【００１６】
通信ネットワークコンポーネント１の中央機能部はスイッチングコンピュータ９である。このコンピュータは入来するテレグラムを解析する。この入来テレグラムはいわゆるテレグラムヘッダ中に管理ネットワークのビルディングブロック（これに対してテレグラムの後続の内容が仕向けられている）のアドレスを含んでいる。テレグラムヘッダ中のアドレス−−宛先アドレス−−はまた中間ステーションのアドレス（例えばポートのアドレス）を含み得、該ポートアドレスを介してはテレグラムはその最終行き先に到達する前に当該中間ステーションを通過するべきものである。行き先情報はいずれにしろ極めて明瞭性を有していて（これについてはＣＣＩＴＴ勧告Ｍ３０参照）、スイッチングコンピュータはポート７，８，１０又は１１のうちどれを通って１つの入来テレグラムが転送され得るかを決定できる。但し１つのテレグラムが同時に複数のポートを通って転送されるようにすることも不可能ではない。
【００１７】
１つのテレグラムのつぎの行き先（仕向地）のアドレスが最終的なものである場合には当該アドレスはソースアドレスとしてテレグラムの終端に添付され、それにより必要に応じて、当該テレグラムがそこを通って最終行き先に到達したルートを再構成（再現）できる。
【００１８】
テレグラムが到着した後、スイッチングコンピュータ９は前述のように次の行き先アドレスとしてポート７，８，１０又は１１のうちの１つ又はそれより多くを決定する。テレグラムはいわゆる待ち合わせ（列）（これはポートに割当てられている）状態でバッファリングされる。ポート７，８，１０，の各々がそれ自身のインターフェースを有するので、ポートアドレスによっては端子２Ａ，３Ａ６Ａのうちのどれを介して出（送信）テレグラムが送出されるのか、又はどの端子を介して入来テレグラムが入来したかが定められる。
【００１９】
管理ネットワークの比較的低いオーダの階層レベルへのアドレス制御可能のポート１１は様子は異なっている。２つのインターフェース４，５は当該ポートに接続されている。出（送信）テレグラムは付加的情報なしでインターフェース４と５を介して転送され、即ち端子４ａを介して、又、同一の形態で端子５ａを介して転送される。
【００２０】
入来テレグラムに対してスイッチングコンピュータ９はテレグラムが端子４ａを介して又は５ａを介して到来したのかを識別できない。
【００２１】
図２は２つの主なオペレーティング（作動）システム１Ａ及び１Ｂにより通信ネットワークコンポーネントを管理する管理ネットワークの基本回路図を示す。使用されている通信ネットワークコンポーネント２Ａ〜２Ｃは比較的高い階層レベルへの２つのインターフェース及び比較的低い階層レベルへのコネクションのため１つのインターフェースを有する。図示の実施例ではライン形式の通信ネットワークの監視も用意されているので、上述の可制御切換スイッチも明示的に示されている、それというのはそれらの切換スイッチによってのみ構造を監視できるからである（これに関連してヨーロッパ特許（ＥＰ）第０５３７８２１号参照のこと）。
【００２２】
明確化のため、切換スイッチＵ１及びＵ２にのみ参照符号を付してある。通信ネットワークコンポーネント４Ａ，４Ｂ，４Ｃは（比較的高い階位）通信ネットワーク３Ａ及び３Ｂの双方を介してトリガされ得る。それらは亦２つのオペレーティング（作動）システム１Ａ，１Ｂから通信ネットワークコンポーネント２Ａ，２Ｂを介してからトリガされてもよい。主オペレーティングシステム１Ａ，１Ｂからの方向で見ると上記のことは特定の階層レベル−−事例では通信ネットワークコンポーネント４Ａ，４Ｂ，４Ｃのおかれている特定レベル−−から可能であり、各通信ネットワークコンポーネントは主なオペレーティングシステム１Ａ又は１Ｂから何らの制約なしにアクセスし得る。オペレーティングシステムＩＡとそのアクセスし得る通信ネットワークコンポーネントとの間の通信は通信ネットワークコンポーネントの第１インターフェース（図１に示すインターフェース２）を介して行われ得、主オペレーティングシステム１Ｂとそのアクセスし得る通信ネットワークコンポーネントとの間の通信は第２インターフェース（図１中インターフェース３）を介して行われ得る。通信ネットワークコンポーネント４Ａ〜４Ｃの下流の通信ネットワークコンポーネントの自発的情報は割り当てられたスイッチングコンピュータ９（図１）により２つのポートへスイッチング（通過接続）され、斯くして、２つの主（メイン）オペレーティングシステム１Ａ〜１Ｂへ到達し得る。
【００２３】
主オペレーティングシステムのいずれに対しても通信ネットワークコンポーネント（ＮＥ）からの及びそれへのスイッチング情報は変化されない。コンフィギレーション
（構成）でさえも両者（２つのポート）に対して同じものであり得る。それによっては外乱の場合におけるオペレーティングシステム間の情報の交換は極めて僅かな不正確性を以て行われ得る。
【００２４】
図２に示す構造も信頼性のゆえに顕著なものである。例えば通信ネットワークコンポーネント４Ｂ，４Ｃ間のＴＭネットワークのラインが遮断されるとしてもそれでもＴＭネットワークは機能をし得ると共に、通信ネットワークコンポーネント４Ｃと主オペレーティングシステム１Ｂとの間の情報交換が継続され得る。同じことが通信ネットワークコンポーネント４Ａ，４Ｃについても主オペレーティングシステム１Ａについても成り立つ。
【００２５】
信頼性についても図３に示すリング構造に適用し得る。この構造は３つの通信ネットワークコンポーネントを有し、それらの各々は比較的に高いレベルへのインターフェースを有し、１つの通信ネットワークコンポーネントＡは比較的に低い階層レベルへの２つのインターフェースを有する。インターフェースの切換スイッチは通信ネットワークコンポーネントＢ，Ｃ，Ｄにとって極めて重要であるので、やはり休止状態にあることが明示されている。更なるすべてのインターフェースにおいて切換スイッチは次のような状態におかれる、即ち切換スイッチを有するか又は有しないインターフェース間には機能上の差異はないような状態におかれる。従ってそれらは示されていない。
【００２６】
図３に示すように通信ネットワークコンポーネントＢとＤはそれらの第１のインターフェース（それらのうちの割当られた切換スイッチＵ１２〜Ｕ１４のみが示されている）を介して通信ネットワークコンポーネントＡの第１インターフェースＳ１に接続されている。同じことが切換スイッチＵ２２〜Ｕ２４を含む通信ネットワークコンポーネントＢの第２インターフェースについても、また、通信ネットワークコンポーネントＡの第２インターフェースについても当嵌まる。通信ネットワークコンポーネントＡとＢ，Ｃ，Ｄとの間の情報の交換は２つの独立したルートを介して実施され得る。従って、ＴＭネットワークはそれらの通信ルートのうちの１つが欠陥のため機能障害を起こすとしても完全に信頼性を保つ。高い信頼性を保証するにはＴＭネットワークを完全に２重化する必要はない。
【００２７】
【発明の効果】
本発明の目的ないし課題とすることろは、コスト面で有利なように、そのような管理を可能にする通信ネットワークを提供することである。更なる目的とするところはそのような通信ネットワーク用のコンポーネントを有利に利用し得る管理システムの構造を提供することにある。
【図面の簡単な説明】
【図１】本発明の通信ネットワークコンポーネント概念図である。
【図２】本発明の通信ネットワークコンポーネントを有する管理ネットワークの第１の構造の概念図である
【図３】管理ネットワークのさらなる構造の概念図である。
【符号の説明】
１    通信ネットワークコンポーネント
２    インターフェース
３    インターフェース
４    インターフェース
５    インターフェース
６    インターフェース
７    ポート
８    ポート
９    スイッチングコンピュータ
１０  ポート
１１  ポート
【図１】
0003589709.tif 000002
【図２】
0003589709.tif 000003
【図３】
0003589709.tif 000004